(57)【特許請求の範囲】
【請求項１】
扱胴（２）を軸装した脱穀室（３）を設け、該脱穀室（３）の側部には脱穀室（３）に穀稈を供給しながら搬送する挾扼杆（１６）と供給搬送チエン（１７）を有する穀稈供給搬送装置（１５）を設け、該穀稈供給搬送装置（１５）は、所定位置に設けたエンジンを緊急停止させる緊急停止スイッチ（２７）の操作により、供給搬送チェン（１７）への駆動力の伝達を遮断すると共に、制動部材（３３）に備えた複数の突起（３１）が供給搬送チェン（１７）の各リンク間を接続するピン（３４）に係合して、慣性による供給搬送チェン（１７）の移動を停止させる構成とし、前記制動部材（３３）を供給搬送チェン（１７）の非搬送側に設け、供給搬送チェン（１７）の非搬送作用側の前後方向中間部に、内側から当接して供給搬送チェン（１７）を緊張させるテンションバネ（４０）を設け、前記制動部材（３３）は、前記供給搬送チェン（１７）の非搬送作用側における駆動スプロケット（２２）とテンションバネ（４０）の間の部位に、供給搬送チェン（１７）に対してテンションバネ（４０）の作用方向と反対方向から係合する構成とし、前記供給搬送チェン（１７）は、機体側に設けた前記制動部材（３３）および該制動部材（３３）を作動させる駆動手段（３５）を機体側に残したまま、前部の取付軸（２４）を中心として側方オープン可能に構成したことを特徴とするコンバイン。
【発明の詳細な説明】
【技術分野】
【０００１】
本発明は、コンバインに係るものである。
【背景技術】
【０００２】
従来、脱穀室の側部には脱穀室に供給する穀稈を供給搬送する穀稈供給搬送装置を設け、穀稈供給搬送装置は、所定位置に設けたエンジンを緊急停止させる緊急停止スイッチの操作により、供給搬送チェンへの駆動を停止させる構成は、公知である（特許文献１）
【先行技術文献】
【特許文献】
【０００３】
【特許文献１】特開２００３−３３３９２０号公報
【発明の概要】
【発明が解決しようとする課題】
【０００４】
前記公知例は、単に、供給搬送チェンへの駆動力を遮断するだけのものである点に問題がある。
即ち、供給搬送チェンへの駆動力の伝達を遮断しても、動力駆動系や供給搬送チェン自体の慣性力によって供給搬送チェンは直ちに停止せず、希に完全に停止していない供給搬送チェンに衣服が引き込まれるという危惧が予想される。
本願は、穀稈供給搬送装置の供給搬送チェンを制動する構成により、供給搬送チェンの移動を速やかに停止させることを目的としたものである。
【課題を解決するための手段】
【０００５】
請求項１の発明は、扱胴２を軸装した脱穀室３を設け、該脱穀室３の側部には脱穀室３に穀稈を供給しながら搬送する挾扼杆１６と供給搬送チエン１７を有する穀稈供給搬送装置１５を設け、該穀稈供給搬送装置１５は、所定位置に設けたエンジンを緊急停止させる緊急停止スイッチ２７の操作により、供給搬送チェン１７への駆動力の伝達を遮断すると共に、制動部材３３に備えた複数の突起３１が供給搬送チェン１７の各リンク間を接続するピン３４に係合して、慣性による供給搬送チェン１７の移動を停止させる構成とし、前記制動部材３３を供給搬送チェン１７の非搬送側に設け、供給搬送チェン１７の非搬送作用側の前後方向中間部に、内側から当接して供給搬送チェン１７を緊張させるテンションバネ４０を設け、前記制動部材３３は、前記供給搬送チェン１７の非搬送作用側における駆動スプロケット２２とテンションバネ４０の間の部位に、供給搬送チェン１７に対してテンションバネ４０の作用方向と反対方向から係合する構成とし、前記供給搬送チェン１７は、機体側に設けた前記制動部材３３および該制動部材３３を作動させる駆動手段３５を機体側に残したまま、前部の取付軸２４を中心として側方オープン可能に構成したことを特徴とするコンバインとしたものであり、緊急停止スイッチ２７を操作すると、供給搬送チェン１７への駆動力の伝達が遮断されると共に、制動部材３３の複数の突起３１が供給搬送チェン１７の各リンク間を接続するピン３４に係合して、供給搬送チェン１７の移動を停止させる。
【発明の効果】
【０００６】
請求項１の発明では、緊急停止スイッチ２７の操作によって、供給搬送チェン１７への駆動力の伝達が遮断され、制動部材３３の複数の突起３１が供給搬送チェン１７の各リンク間を接続するピン３４に係合して供給搬送チェン１７の移動を停止させるので、慣性によって移動を継続しようととする供給搬送チェン１７を速やかに停止させることができ、安全性を向上させることができる。
【図面の簡単な説明】
【０００７】
【図１】コンバインの側面図。
【図２】刈取装置から穀稈供給搬送装置までの搬送経路の一例を示す概略図。
【図３】穀稈供給搬送装置の側面図。
【図４】制動部材の側面図。
【図５】他の実施例の穀稈供給搬送装置の側面図。
【図６】他の実施例の穀稈供給搬送装置の側面図。
【図７】他の実施例の穀稈供給搬送装置の側面図。
【図８】他の実施例の穀稈供給搬送装置の一部側面図および軸棒体により構成した制動部材の拡大図。
【図９】他の実施例の穀稈供給搬送装置の側面図。
【図１０】他の実施例の穀稈供給搬送装置の正面図。
【図１１】他の実施例の穀稈供給搬送装置の正面図。
【図１２】他の実施例の穀稈供給搬送装置の正面図。
【図１３】他の実施例の穀稈供給搬送装置の正面図。
【図１４】伝動機構概略図。
【図１５】他の実施例の伝動機構概略図。
【発明を実施するための形態】
【０００８】
本発明の一実施例をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である。
前記刈取装置４は、最先端位置に分草装置８を左右に並設し、各分草装置８の後側に分草装置８が分草した穀稈を引起す引起装置９を設け、引起装置９の後側には刈刃１０を設け、刈刃１０の上方の後側には刈刃１０によって刈り取った穀稈を搬送する穀稈搬送装置１１を設ける。１２は穀稈搬送チェン、１３はラグ式搬送装置、１４は後側搬送チェン、１４Ａは扱き深さ調節装置、１４Ｂは引継搬送装置、１４Ｃは補助供給装置である。
【０００９】
脱穀装置３の側部には、脱穀装置３に穀稈を供給する穀稈供給搬送装置１５を設ける。穀稈供給搬送装置１５は、上方に上下自在に位置する挾扼杆１６と供給搬送チェン１７により穀稈を挾持搬送するように構成する。
前記供給搬送チェン１７は前後方向のチェン案内レール２０の前後に設けた前側受動スプロケット２１および後側駆動スプロケット２２に掛け回す。前記チェン案内レール２０はレール支持フレーム２３に取付ける。
レール支持フレーム２３は前側部分を軸心Ｌが斜め縦方向の取付軸２４中心に機体固定部２５に回動自在に取付ける。
したがって、チェン案内レール２０はレール支持フレーム２３と共に取付軸２４を中心に回動して、供給搬送チェン１７を側方オープン回動するように構成する。
【００１０】
前記穀稈供給搬送装置１５は、所定位置に設けた緊急停止スイッチ２７により穀稈供給搬送装置１５への回転伝達を切りにし、あるいは、エンジン（図示省略）を停止させる等により、作動停止するように構成し、穀稈供給搬送装置１５の停止作動が開始されると、ロック装置３０により穀稈供給搬送装置１５の供給搬送チェン１７の移動を停止させる。
そのため、ロック装置３０により慣性による供給搬送チェン１７の移動を停止させられ、安全性を向上させられる。
前記ロック装置３０は、複数の突起３１を有する制動部材３３を、供給搬送チェン１７の各リンク間を接続するピン３４に係合させる構成とする。
そのため、制動部材３３の複数の突起３１と複数の係合溝３２が供給搬送チェン１７の各リンク間を接続するピン３４に係合し、慣性による供給搬送チェン１７の移動を速やかに停止させられ、安全性を向上させられる。
【００１１】
前記制動部材３３は、駆動手段３５を前記緊急停止スイッチ２７と連動するように設け、緊急停止スイッチ２７の操作により、制動部材３３が供給搬送チェン１７の各リンク間を接続するピン３４に係合する構成とする。駆動手段３５は任意であり、モータ、各種シリンダ、ソレノイド等により構成する。
この場合、図３の駆動手段３５は駆動スプロケット２２から受動スプロケット２１へ戻る供給搬送チェン１７の移動路の下方に設け、供給搬送チェン１７に下側から制動部材３３を係合させており、また、図５の駆動手段３５は駆動スプロケット２２から受動スプロケット２１へ戻る供給搬送チェン１７の移動路の上方に設け、供給搬送チェン１７に上側（内側）から制動部材３３をピン３４に係合させて押し付けている。
また、チェン案内レール２０の前後中間所定部分には供給搬送チェン１７を緊張させるテンションバネ４０を設け、テンションバネ４０の供給搬送チェン１７への作用方向と反対方向から制動部材３３が供給搬送チェン１７に係合するように構成している（図３）。
【００１２】
即ち、テンションバネ４０は供給搬送チェン１７の内側から当接して外側へ押すように作用しているので、制動部材３３は供給搬送チェン１７の外側から内側へ向けて移動して係合する構成としている。
そのため、テンションバネ４０の作用を有効に利用して、制動部材３３を供給搬送チェン１７に係合させられ、ロック装置３０のロックの確実性を向上させられる。
また、図示は省略するが、制動部材３３を、テンションバネ４０と前記供給搬送チェン１７を外側方オープン回動させる取付軸２４付近との間に設けてもよい。
そのため、テンションバネ４０とロック装置３０とが干渉せず、供給搬送チェン１７を外側方オープン回動作業を容易にする。
前記ロック装置３０の駆動手段３５および制動部材３３は脱穀装置３の機体側に設ける。
【００１３】
そのため、前記供給搬送チェン１７を外側方オープン回動させる際に、ロック装置３０は機体側に残り、供給搬送チェン１７の外側方オープン回動構成を簡素にできる。
図６は、ロック装置３０の他の実施例を示し、後側駆動スプロケット２２の歯部４５にロック装置３０の制動部材３３の形状を合わせ、制動部材３３を駆動スプロケット２２の歯部４５に噛み合う構成とする。
そのため、緊急停止スイッチ２７の操作により駆動スプロケット２２への駆動が切断されると、制動部材３３が駆動スプロケット２２の歯部４５に噛み合って慣性による駆動スプロケット２２の回転を停止させ、これにより供給搬送チェン１７の移動をさせ、安全性を向上させられる。
図７は、ロック装置３０の他の実施例を示し、駆動スプロケット２２から受動スプロケット２１へ戻る供給搬送チェン１７の下方に、この供給搬送チェン１７の戻りを案内するレール４７を設け、このレール４７に対向させてロック装置３０を設ける。
【００１４】
そのため、ロック装置３０の制動部材３３はレール４７とにより供給搬送チェン１７を挟むように係合し、供給搬送チェン１７の移動停止の確実性を向上させ、安全性を向上させられる。
図８，図９は、ロック装置３０の他の実施例を示し、前記ロック装置３０の制動部材３３の突起３１を、軸棒体３１Ａとし、供給搬送チェン１７の各リンク間を接続するピン３４の間隔に合わせて複数設けた構成としている。
そのため、制動部材３３の突起３１（軸棒体３１Ａ）が供給搬送チェン１７の各リンク間を接続するピン３４の間に係合し、慣性による供給搬送チェン１７の移動を停止させられ、安全性を向上させられる。
このロック装置３０の駆動手段３５は脱穀装置３の機体側に設ける。
【００１５】
そのため、前記供給搬送チェン１７を外側方オープン回動させる際に、ロック装置３０は機体側に残り、供給搬送チェン１７の外側方オープン回動構成を簡素にできる。
前記軸棒体３１Ａの突起３１により制動部材３３を構成したロック装置３０は、駆動スプロケット２２から受動スプロケット２１へ戻る供給搬送チェン１７の移動路の上方に設け、供給搬送チェン１７に上側（内側）から制動部材３３をピン３４の間に係合させる構成とする（図８）。
そのため、制動部材３３は供給搬送チェン１７に上側（内側）から各リンク間を接続するピン３４の間に係合し、慣性による供給搬送チェン１７の移動を停止させられ、安全性を向上させられる。
また、前記軸帽体の突起３１により制動部材３３を構成したロック装置３０は、前記供給搬送チェン１７を緊張させるテンションバネ４０と駆動スプロケット２２の間に、テンションバネ４０の供給搬送チェン１７への作用方向と反対方向から制動部材３３が供給搬送チェン１７に係合する構成としている（図８）。
【００１６】
即ち、テンションバネ４０は供給搬送チェン１７の内側から当接して外側へ押すように作用しているので、制動部材３３は供給搬送チェン１７の外側から内側へ向けて移動して係合する構成としている。
そのため、テンションバネ４０の作用を有効に利用して、制動部材３３を供給搬送チェン１７に係合させられ、ロック装置３０のロックの確実性を向上させられる。
前記軸棒体３１Ａの突起３１により制動部材３３を構成したロック装置３０は、駆動スプロケット２２から受動スプロケット２１へ戻る供給搬送チェン１７の移動路の下方に設け、供給搬送チェン１７に下側（外側）から制動部材３３をピン３４の間に係合させる構成とする（図９）。
そのため、制動部材３３は供給搬送チェン１７に下側（外側）から各リンク間を接続するピン３４の間に係合し、慣性による供給搬送チェン１７の移動を停止させられ、安全性を向上させられる。
【００１７】
図１０は、ロック装置３０の他の実施例を示し、制動部材３３を供給搬送チェン１７の側面に当接する板状部材により形成し、駆動スプロケット２２から受動スプロケット２１へ戻る供給搬送チェン１７の側面に制動部材３３を当接させる構成とする。
そのため、制動部材３３は供給搬送チェン１７に側面に当接し、慣性による供給搬送チェン１７の移動を停止させられ、安全性を向上させられる。
この場合、ロック装置３０の駆動手段３５は移動する供給搬送チェン１７の外側に設け、供給搬送チェン１７の外側面に制動部材３３を当接させる。
図１１は、ロック装置３０の他の実施例を示し、制動部材３３を供給搬送チェン１７の側面に当接する板状部材により形成し、ロック装置３０の駆動手段３５を移動する供給搬送チェン１７の内側に設け、供給搬送チェン１７の内側面に制動部材３３を当接させる。
【００１８】
そのため、制動部材３３は供給搬送チェン１７に側面に当接し、慣性による供給搬送チェン１７の移動を停止させられ、安全性を向上させられる。
この供給搬送チェン１７の側面に当接する制動部材３３を作動させる駆動手段３５は、脱穀装置３の機体側に設ける。
そのため、前記供給搬送チェン１７を外側方オープン回動させる際に、ロック装置３０は機体側に残り、供給搬送チェン１７の外側方オープン回動構成を簡素にできる。
また、制動部材３３を供給搬送チェン１７の側面に当接する板状部材により形成して構成したロック装置３０は（図１１）、図示は省略するが、前記供給搬送チェン１７を緊張させるテンションバネ４０と駆動スプロケット２２の間に設けた構成とすると、テンションバネ４０と駆動スプロケット２２との間の緊張させた供給搬送チェン１７の側面に制動部材３３が当接し、慣性による供給搬送チェン１７の移動を停止させられ、安全性を向上させられる。
【００１９】
図１２は、ロック装置３０の他の実施例を示し、供給搬送チェン１７の側面に当接する板状部材の制動部材３３を、左右一対設けた構成としている。
そのため、制動部材３３は供給搬送チェン１７の左右両側面に当接し、慣性による供給搬送チェン１７の移動を停止させられ、安全性を向上させられる。
図１３は、ロック装置３０の他の実施例を示し、駆動スプロケット２２の左右の側面に当接する板状部材の制動部材３３を設けた構成としている。
そのため、制動部材３３は駆動スプロケット２２の左右両側面に当接し、慣性による供給搬送チェン１７の移動を停止させられ、安全性を向上させられる。
図１４は、前記穀稈供給搬送装置１５への回転伝達経路を示し、６０はエンジンの出力プーリ、６１はギヤケース、６２はギヤケース６１の入力軸６２であり、入力軸６２にトルクリミッタ６３を設けている。
【００２０】
そのため、前記ロック装置３０による供給搬送チェン１７の移動停止の際に、トルクリミッタ６３を作動させ、ロック装置３０とトルクリミッタ６３による併用で供給搬送チェン１７の移動を停止させるので、慣性による供給搬送チェン１７の移動を停止させられ、安全性を向上させられる。
図１５の実施例では、駆動スプロケット２２の駆動軸６５にトルクリミッタ６３を設けている。
【００２１】
（実施例の作用）
次に作用を述べる。
走行装置２により機体を前進させると、各分草体５により分草し、分草体５により分草された穀稈は引起装置６により引起され、刈刃９により切断され、切断された穀稈は株元側搬送装置と穂先側搬送装置により搬送され、搬送された穀稈は穀稈供給搬送装置１５に引き継がれ、穀稈供給搬送装置１５により脱穀装置３に供給して脱穀する。
この場合、一般的には、先ず、圃場の四隅を手刈りし、コンバインを進入させられる空き地を形成し、この空き地から圃場の穀稈をコンバインを走行させて刈取脱穀する。
圃場の刈取脱穀が終了すると、機体を停止させ、穀稈供給搬送装置１５および脱穀装置３を駆動させ、穀稈供給搬送装置１５に手作業で手刈り穀稈を供給して脱穀する。
【００２２】
このとき、手を挾扼杆１６と供給搬送チェン１７とに挟まれる事故が発生することがあるが、穀稈供給搬送装置１５は、緊急停止スイッチ２７が操作されると、駆動スプロケット２２の駆動が停止し、ロック装置３０により穀稈供給搬送装置１５の供給搬送チェン１７の移動を停止させるので、慣性による供給搬送チェン１７の移動をロック装置３０により停止させられ、安全性を向上させられる。
ロック装置３０は、突起３１と係合溝３２を交互に有する制動部材３３を、供給搬送チェン１７の各リンク間を接続するピン３４に係合させる構成しているので、制動部材３３の突起３１と係合溝３２が供給搬送チェン１７の各リンク間を接続するピン３４に係合し、慣性による供給搬送チェン１７の移動を停止させられ、安全性を向上させられる。
制動部材３３は駆動手段３５を前記緊急停止スイッチ２７に接続し、緊急停止スイッチ２７の操作により、供給搬送チェン１７の移動路から退避した位置から突き出してピン３４に係合するので、通常の穀稈搬送中はロック装置３０は供給搬送チェン１７の移動に全く影響せず、緊急停止スイッチ２７が操作されると、供給搬送チェン１７の各リンク間を接続するピン３４に係合して供給搬送チェン１７の移動を停止させる。
【００２３】
この場合、図３のロック装置３０では、駆動手段３５は駆動スプロケット２２から受動スプロケット２１へ戻る供給搬送チェン１７の移動路の下方に設けているので、制動部材３３は供給搬送チェン１７に下側から係合して供給搬送チェン１７の移動を速やかに停止させる。
また、図５のロック装置３０では、駆動手段３５は駆動スプロケット２２から受動スプロケット２１へ戻る供給搬送チェン１７の移動路の上方に設けているので、制動部材３３は供給搬送チェン１７に上側（内側）からピン３４に係合して、供給搬送チェン１７の移動を速やかに停止させる。
また、チェン案内レール２０の前後中間所定部分には供給搬送チェン１７を緊張させるテンションバネ４０を設け、テンションバネ４０の供給搬送チェン１７への作用方向と反対方向から制動部材３３が供給搬送チェン１７に係合するように構成しているので、テンションバネ４０により張っている供給搬送チェン１７に制動部材３３が係合し、ロック装置３０のロックの確実性を向上させる（図３）。
【００２４】
また、図示は省略するが、制動部材３３を、テンションバネ４０と前記供給搬送チェン１７を外側方オープン回動させる取付軸２４付近との間に設けると、テンションバネ４０とロック装置３０とが干渉せず、供給搬送チェン１７を外側方オープン回動作業を容易にし、好適である。
ロック装置３０の駆動手段３５は脱穀装置３の機体側に設けているので、供給搬送チェン１７を外側方オープン回動させる際に、ロック装置３０の駆動手段３５および制動部材３３は機体側に残り、供給搬送チェン１７の外側方オープン回動構成を簡素にできる。
図６のロック装置３０の他の実施例では、後側駆動スプロケット２２の歯部４５にロック装置３０の制動部材３３の形状を合わせ、制動部材３３を駆動スプロケット２２の歯部４５に噛み合う構成としているので、制動部材３３が駆動スプロケット２２の歯部４５に噛み合って慣性による駆動スプロケット２２の回転を停止させ、これにより供給搬送チェン１７の移動をさせ、安全性を向上させられる。
【００２５】
駆動スプロケット２２から受動スプロケット２１へ戻る供給搬送チェン１７の下方に、この供給搬送チェン１７の戻りを案内するレール４７を設け（図７）、このレール４７に対向させてロック装置３０を設けているので、ロック装置３０の制動部材３３はレール４７とにより供給搬送チェン１７を挟むように供給搬送チェン１７の各リンク間を接続するピン３４に係合し、供給搬送チェン１７の移動停止の確実性を向上させ、安全性を向上させられる。
図８，図９のロック装置３０の他の実施例では、ロック装置３０の制動部材３３の突起３１を軸棒体３１Ａにより形成し、この軸棒体３１Ａを供給搬送チェン１７の各リンク間を接続するピン３４の間隔に合わせて複数設けているので、制動部材３３の軸棒体３１Ａが供給搬送チェン１７の各リンク間を接続するピン３４の間に係合し、慣性による供給搬送チェン１７の移動を速やかに停止させられ、安全性を向上させられる。
【００２６】
このロック装置３０の駆動手段３５は脱穀装置３の機体側に設けているので、前記供給搬送チェン１７を外側方オープン回動させる際に、ロック装置３０は機体側に残り、供給搬送チェン１７の外側方オープン回動構成を簡素にできる。
軸棒体３１Ａにより突起３１を構成した制動部材３３を有するロック装置３０は、駆動スプロケット２２から受動スプロケット２１へ戻る供給搬送チェン１７の移動路の上方に設けているので、供給搬送チェン１７の各リンク間を接続するピン３４の間に上側（内側）から制動部材３３を係合させ、慣性による供給搬送チェン１７の移動を速やかに停止させ、安全性を向上させられる（図８）。
この場合、  軸棒体３１Ａにより突起３１を構成した制動部材３３を有するロック装置３０は、供給搬送チェン１７を緊張させるテンションバネ４０と駆動スプロケット２２の間に、テンションバネ４０の供給搬送チェン１７への作用方向と反対方向から制動部材３３が供給搬送チェン１７に係合するように設けているので、テンションバネ４０は供給搬送チェン１７の内側から当接して、供給搬送チェン１７を外側へ押すように作用し、制動部材３３は供給搬送チェン１７の外側から内側へ向けて移動して係合し、テンションバネ４０の作用を有効に利用して制動部材３３を供給搬送チェン１７に係合させられ、ロック装置３０のロックの確実性を向上させられる。
【００２７】
軸棒体３１Ａにより突起３１を構成した制動部材３３を有するロック装置３０は、駆動スプロケット２２から受動スプロケット２１へ戻る供給搬送チェン１７の移動路の下方に設けているので、制動部材３３は供給搬送チェン１７に下側（外側）からピン３４の間に係合し、慣性による供給搬送チェン１７の移動を速やかに停止させられ、安全性を向上させられる（図９）。
図１０のロック装置３０の他の実施例では、制動部材３３を供給搬送チェン１７の側面に当接する板状部材により形成し、駆動スプロケット２２から受動スプロケット２１へ戻る供給搬送チェン１７の側面に制動部材３３を当接させる構成としているので、制動部材３３は供給搬送チェン１７の外側面に当接し、慣性による供給搬送チェン１７の移動を速やかに停止させられ、安全性を向上させられる。
図１１のロック装置３０の他の実施例では、制動部材３３を供給搬送チェン１７の側面に当接する板状部材により形成し、ロック装置３０の駆動手段３５を移動する供給搬送チェン１７の内側に設けているので、制動部材３３は供給搬送チェン１７の内側面に当接し、慣性による供給搬送チェン１７の移動を速やかに停止させられ、安全性を向上させられる。
【００２８】
この供給搬送チェン１７の側面に当接する制動部材３３を作動させる駆動手段３５は、脱穀装置３の機体側に設けているので、供給搬送チェン１７を外側方オープン回動させる際に、ロック装置３０は機体側に残り、供給搬送チェン１７の外側方オープン回動構成を簡素にできる。
制動部材３３を供給搬送チェン１７の側面に当接する板状部材により形成して構成したロック装置３０を、供給搬送チェン１７を緊張させるテンションバネ４０と駆動スプロケット２２の間に設けた構成としているので（図１１）、制動部材３３は供給搬送チェン１７の側面に当接し、慣性による供給搬送チェン１７の移動を速やかに停止させられ、安全性を向上させられる。
【００２９】
図１２の、ロック装置３０の他の実施例では、供給搬送チェン１７の側面に当接する板状部材の制動部材３３を、左右一対設けた構成としているので、一対の制動部材３３は供給搬送チェン１７の左右両側面に当接し、慣性による供給搬送チェン１７の移動を速やかに停止させられ、安全性を向上させられる。
図１３の、ロック装置３０の他の実施例では、駆動スプロケット２２の左右の側面に当接する板状部材の制動部材３３を設けているので、一対の制動部材３３は駆動スプロケット２２の左右両側面に当接し、慣性による供給搬送チェン１７の移動を速やかに停止させられ、安全性を向上させられる。
図１４のように、穀稈供給搬送装置１５への回転伝達経路には、トルクリミッタ６３を設けているので、ロック装置３０による供給搬送チェン１７の移動停止の際に、トルクリミッタ６３が作動し、ロック装置３０とトルクリミッタ６３による併用で供給搬送チェン１７の移動を速やかに停止させることができ、慣性による供給搬送チェン１７の移動を速やかに停止させられ、安全性を向上させられる。
【００３０】
図１５の実施例では、駆動スプロケット２２の駆動軸６５にトルクリミッタ６３を設けているので、簡単にトルクリミッタ６３を設置することができる。
また、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００３１】
１…機体フレーム、２…走行装置、３…脱穀装置、４…刈取装置、５…グレンタンク、６…操縦部、８…分草装置、９…引起装置、１０…刈刃、１１…穀稈搬送装置、１２…穀稈搬送チェン、１３…ラグ式搬送装置、１４…後側搬送チェン、１４Ａ…扱き深さ調節装置、１４Ｂ…引継搬送装置、１４Ｃ…補助供給装置、１５…穀稈供給搬送装置１５、１６…挾扼杆、１７…供給搬送チェン、２０…チェン案内レール、２１…受動スプロケット、２２…駆動スプロケット、２３…レール支持フレーム、２４…取付軸、２５…機体固定部、２７…緊急停止スイッチ、３０…ロック装置、３１…突起、３１Ａ…軸帽体、３３…制動部材、３４…ピン、３５…駆動手段、４０…テンションバネ、４５…歯部、４７…レール、６２…入力軸、６５…駆動軸。
【図１】
0005794411.tif 000002
【図２】
0005794411.tif 000003
【図３】
0005794411.tif 000004
【図４】
0005794411.tif 000005
【図５】
0005794411.tif 000006
【図６】
0005794411.tif 000007
【図７】
0005794411.tif 000008
【図８】
0005794411.tif 000009
【図９】
0005794411.tif 000010
【図１０】
0005794411.tif 000011
【図１１】
0005794411.tif 000012
【図１２】
0005794411.tif 000013
【図１３】
0005794411.tif 000014
【図１４】
0005794411.tif 000015
【図１５】
0005794411.tif 000016